(57)【要約】【課題】天井面の高さに合わせて収納棚全体の高さを大きな範囲内で調整することが可能であって、しかも十分な強度を備えた収納棚を提供する。【解決手段】上側収納用可動体２は、下側収納用本体１の左右両側板４ａ，４ｂ間に昇降自在に嵌合するもので、この上側収納用可動体２の左右両側板７ａ，７ｂと、この外側に重なる下側収納用本体１の左右両側板４ａ，４ｂが、上側収納用可動体２の高さ変更自在に連結される収納棚において、下側収納用本体１の左右両側板４ａ，４ｂの内側面間には、これら左右両側板の後側縁に隣接する上下方向適当間隔おきの位置に補強用桟１１が着脱自在に架設され、下側収納用本体１の棚板６は、平面視において補強用桟１１より前側にあって、正面視において補強用桟１１と重なる位置を含む上下方向適当間隔おきの位置において左右両側板４ａ，４ｂに着脱自在に支持された構成。【選択図】図１
2015217193.tif 000002
【特許請求の範囲】
【請求項１】
下側収納用本体と上側収納用可動体とから成り、下側収納用本体は、背板と、棚板を支持する左右両側板の上端部を互いに連結一体化する天板とを持たない構成であり、上側収納用可動体は、下側収納用本体の左右両側板間に昇降自在に嵌合するもので、この上側収納用可動体の左右両側板と、この外側に重なる下側収納用本体の左右両側板が、上側収納用可動体の高さ変更自在に連結される収納棚において、下側収納用本体の左右両側板の内側面間には、これら左右両側板の後側縁に隣接する上下方向適当間隔おきの位置に補強用桟が着脱自在に架設され、下側収納用本体の棚板は、平面視において前記補強用桟より前側にあって、正面視において前記補強用桟と重なる位置を含む上下方向適当間隔おきの位置において左右両側板に着脱自在に支持されている、収納棚。
【請求項２】
下側収納用本体の棚板の後側辺には、平面視において前記補強用桟と重なる棚面拡幅部材が着脱自在に取り付けられている、請求項１に記載の収納棚。
【請求項３】
上側収納用可動体は、上下逆向きでも使用可能に構成され、下側収納用本体の左右両側板の上端部には、上側収納用可動体を連結するための取付け孔が設けられ、上側収納用可動体の左右両側板には、前記取付け孔と合致させることが出来る被取付け孔が、当該上側収納用可動体の左右両側板の上下両端の何れか一方から中間高さまでの領域にのみ上下複数段に設けられ、これら取付け孔と被取付け孔、及びこれら両孔を利用する連結具により、上側収納用可動体を上下逆向きの状態でも下側収納用本体に連結出来るように構成されている、請求項１又は２に記載の収納棚。
【請求項４】
収納棚設置時に天井面との間で突っ張らせる高さ調整自在な突っ張り手段が、上側収納用可動体の上下両端に付け替え自在に設けられている、請求項３に記載の収納棚。
【発明の詳細な説明】
【技術分野】
【０００１】
本発明は、全体の高さを変更することが出来る収納棚に関するものである。
【背景技術】
【０００２】
設置する部屋の高さなどに応じて、全体の高さを変更することが出来る収納棚としては、特許文献１に記載されるように、下側収納用本体と上側収納用可動体とから成り、下側収納用本体は、背板と、棚板を支持する左右両側板の上端部を互いに連結一体化する天板とを持たない構成であり、上側収納用可動体は、下側収納用本体の左右両側板間に昇降自在に嵌合するもので、左右両側板、上下両端板、及び背板を備えた箱形に構成され、この上側収納用可動体の左右両側板と、この外側に重なる下側収納用本体の左右両側板が、上側収納用可動体の高さ変更自在に連結された収納棚が知られている。
【先行技術文献】
【特許文献】
【０００３】
【特許文献１】実用新案登録第３０２６９８０号公報
【発明の概要】
【発明が解決しようとする課題】
【０００４】
上記特許文献１に記載されたこの種の収納棚は、下側収納用本体の左右両側板を背板によって互いに連結することが出来ないので、この下側収納用本体に対して上側収納用可動体が上限高さで結合される状態、即ち、上側収納用可動体より下にある下側収納用本体の左右両側板の高さが最大になる状態においても、下側収納用本体の左右両側板が左右横方向の揺れに対する必要な強度を備えているように、例えば板厚の大きな板材を使用するなどの対策が必要であった。
【課題を解決するための手段】
【０００５】
本発明は、上記のような従来の問題点を解消することのできる収納棚を提案するものであって、本発明に係る収納棚は、後述する実施例との関係を理解し易くするために、当該実施例の説明において使用した参照符号を括弧付きで付して示すと、下側収納用本体(1)と上側収納用可動体(2)とから成り、下側収納用本体(1)は、背板と、棚板(6)を支持する左右両側板(4a,4b)の上端部を互いに連結一体化する天板とを持たない構成であり、上側収納用可動体(2)は、下側収納用本体(1)の左右両側板(4a,4b)間に昇降自在に嵌合するもので、この上側収納用可動体(2)の左右両側板(7a,7b)と、この外側に重なる下側収納用本体(1)の左右両側板(4a,4b)が、上側収納用可動体(2)の高さ変更自在に連結される収納棚において、下側収納用本体(1)の左右両側板(4a,4b)の内側面間には、これら左右両側板(4a,4b)の後側縁に隣接する上下方向適当間隔おきの位置に補強用桟(11)が着脱自在に架設され、下側収納用本体(1)の棚板(6)は、平面視において前記補強用桟(11)より前側にあって、正面視において前記補強用桟(11)と重なる位置を含む上下方向適当間隔おきの位置において左右両側板(4a,4b)に着脱自在に支持された構成になっている。
【発明の効果】
【０００６】
上記本発明の構成によれば、下側収納用本体の左右両側板間には、上側収納用可動体より下側の高さに応じて、１〜複数本の補強用桟を架設することが出来る。例えば、下側収納用本体に対して上側収納用可動体が上限高さで結合される状態、即ち、上側収納用可動体より下にある下側収納用本体の左右両側板の高さが最大になる状態では、複数本の補強用桟を上下方向適当な間隔で架設することが出来る。従って、上側収納用可動体より下側の下側収納用本体における左右両側板を補強用桟によって互いに連結することにより、左右横方向の揺れに対する必要な強度を確保することが出来る。この結果、下側収納用本体における左右両側板の板厚を従来品よりも薄くし、或いは従来品よりも曲げ強度の弱い材質のものを活用することも可能になり、コストダウンを図ることが出来るが、なによりも耐震性、安全性の高い収納棚として活用出来る。
【０００７】
上記効果を確実に得るためには、補強用桟自体の上下巾（高さ）をある程度大きくしなければならないし、補強用桟の架設段数も多いほど好ましい。一方、上側収納用可動体より下側で下側収納用本体の左右両側板間に支持させる棚板の支持高さが、補強用桟の存在によって制約されることは、実用上好ましくはない。然るに本発明の構成によれば、下側収納用本体の棚板は、正面視において補強用桟と重なる位置（高さ）にも問題なく支持させることが出来るので、補強用桟自体の上下巾（高さ）を必要程度に大きくし且つ補強用桟の架設段数を必要程度に多くしても、その補強用桟の存在に全く無関係に、収納物の高さや重さなどに合わせて、収納物の収納効率と出し入れの容易性を高めることのみを考慮して、棚板を必要段数だけ任意の高さに支持させることが出来る。
【０００８】
尚、上記本発明の構成によれば、下側収納用本体の棚板の後側には、平面視において前記補強用桟を逃げるための空間（隙間）が生じるので、当該棚板(6)の後側辺には、平面視において前記補強用桟(11)と重なる棚面拡幅部材(15)を着脱自在に取り付けるのが望ましい。この構成によれば、正面視において補強用桟と重なる高さに支持される棚板に対しては前記棚面拡幅部材を取り外しておき、その他の棚板に対しては前記棚面拡幅部材を取り付けておくことにより、前記のように棚板の後側に空間（隙間）が生じることによる弊害、例えば棚板上の収納物の落下や嵌まり込みを無くすことが出来る。
【０００９】
又、特許文献１に記載された構成では、上側収納用可動体の天板上に突っ張り手段が設けられているので、上側収納用可動体を上下逆向きで使用することは考えられていないが、上側収納用可動体(2)を上下逆向きでも使用可能に構成し、下側収納用本体(1)の左右両側板(4a,4b)の上端部には、上側収納用可動体(2)を連結するための取付け孔(18)を設け、上側収納用可動体(2)の左右両側板(7a,7b)には、前記取付け孔(18)と合致させることが出来る被取付け孔(19)を、当該上側収納用可動体(2)の左右両側板(7a,7b)の上下両端の何れか一方から中間高さまでの領域にのみ上下複数段に設け、これら取付け孔(18)と被取付け孔(19)、及びこれら両孔(18,19)を利用する連結具(20)により、上側収納用可動体(2)を上下逆向きの状態でも下側収納用本体(1)に連結出来るように構成することが出来る。この構成によれば、下側収納用本体側の取付け孔は、その左右両側板の上端部にのみ設け、上側収納用可動体側の被取付け孔は、その左右両側板の上下の一端から中間高さまでの領域にのみ上下複数段に設けるだけであるにも拘らず、取付け時に上側収納用可動体を適宜上下逆向きにするだけで、当該上側収納用可動体の下端部が下側収納用本体の上端部に取り付けられた、全体の高さが最高になる状態から、上側収納用可動体の上端部が下側収納用本体の上端部に取り付けられた、全体の高さが最低になる状態までの間で、全体の高さを自由に変更することが出来る。
【００１０】
上記のように構成するときは、収納棚設置時に天井面との間で突っ張らせる高さ調整自在な突っ張り手段(3)を、上側収納用可動体(2)の上下両端に付け替え自在に設けておくのが望ましい。この構成によれば、上記のように上側収納用可動体を上下逆向きで使用する場合を含めて、常に突っ張り手段を機能させて、耐震性、安全性を高めることが出来る。
【図面の簡単な説明】
【００１１】
【図１】図１は、収納棚全体の斜視図である。
【図２】図２は、最低高さで設置したときの収納棚を示す縦断側面図である。
【図３】図３は、中間高さで設置したときの収納棚を示す縦断側面図である。
【図４】図４は、最高高さで設置したときの収納棚を示す縦断側面図である。
【図５】図５は、突っ張り手段の支持ボルト位置での横断一部切欠き平面図である。
【図６】図６は、突っ張り手段の片側の支持構造を示す要部の縦断側面図である。
【図７】図７は、下側収納用本体と上側収納用可動体との連結構造を示す横断一部切欠き平面図である。
【図８】図８Ａは、下側収納用本体における補強用桟の位置での横断一部切欠き平面図、図８Ｂは、同Ａ図のＢ部拡大図である。
【図９】図９Ａは、下側収納用本体における棚板と補強用桟を示す要部の縦断側面図、図９Ｂは、同棚板に取り付けられる棚面拡幅部材とその取付け具を示す拡大縦断側面図である。
【発明を実施するための形態】
【００１２】
図１及び図２において、１は下側収納用本体、２は上側収納用可動体、３は突っ張り手段である。下側収納用本体１は、縦長長方形の左右両側板４ａ，４ｂと、左右両側板４ａ，４ｂの下端部間に配置されて当該左右両側板４ａ，４ｂを互いに連結一体化する基台部５、及び左右両側板４ａ，４ｂ間に着脱及び高さ変更自在に支持された棚板６から構成されたもので、左右両側板４ａ，４ｂの両端部どうしを互いに連結する天板や背板を備えていない。上側収納用可動体２は、左右両側板７ａ，７ｂ、上下両端板８ａ，８ｂ、及び背板９を備えた箱形構造のものであって、内部には、左右両側板７ａ，７ｂ間に着脱及び高さ変更自在に支持された棚板１０が支持されている。
【００１３】
下側収納用本体１の基台部５は、最下段棚板５ａと、この最下段棚板５ａの前側辺下側に倒立Ｌ形に結合された垂直面板５ｂとから構成されたもので、これら最下段棚板５ａと垂直面板５ｂの左右両側面と左右両側板４ａ，４ｂの下端部内側面とが互いに当接する状態で結合一体化されている。この左右両側板４ａ，４ｂの後側縁に隣接する位置には、補強用桟１１の取付け部１２が上下方向適当間隔おきに設定され、各取付け部１２に上下複数個、図示例では上下２つの取付け孔１３が前以て穿設されている。補強用桟１１は、適当な上下高さを有する帯状板から成るものであって、その左右長さ方向の両端が、左右両側板４ａ，４ｂの取付け部１２から選択した特定の取付け部１２の内側に、当該取付け部１２の上下２つの取付け孔１３に挿通させた結合具１４により結合される。補強用桟１１の取付け本数と取付け位置は、取付け部１２の数の範囲内で自由に選択出来る。
【００１４】
尚、前記結合具１４としては、木ネジやボルトが使用出来るが、木ネジの場合でも、補強用桟１１の左右長さ方向の両端には、各取付け部１２における上下２つの取付け孔１３に合わせて下穴を設けると共に、木ネジ頭部が左右両側板４ａ，４ｂの外側面に突出する場合は、その木ネジ頭部が嵌まり込む凹部を取付け孔１３に形成しておくのが望ましい。又、図６に示すように、結合具１４として２２を使用する場合は、左右両側板４ａ，４ｂ側の水平に貫通する取付け孔１３には、ボルト頭部１４ｂが遊嵌する拡径凹部１３ａを設けると共に、補強用桟１１の左右長さ方向の両端には、各取付け部１２における上下２つの取付け孔１３に合わせてインサートナット１４ｃが自転不能に埋設される。このような補強用桟１１の取付け構造を採用して、補強用桟１１を所定位置に精度良く取り付けると共に、左右両側板４ａ，４ｂの外側面には結合具１４の頭部を突出させないように構成するのが望ましい。
【００１５】
下側収納用本体１の棚板６は、図７に示すように、その前後奥行き方向の巾が、左右両側板４ａ，４ｂの前縁から補強用桟１１までの水平距離よりも少し短いものであって、その後側端面の全長にわたって棚面拡幅部材１５が着脱自在に取り付けられ、この棚面拡幅部材１５を含む棚板全体の前後奥行き方向の巾が左右両側板４ａ，４ｂの前後奥行き方向の巾とほぼ等しくなるように構成されている。棚面拡幅部材１５としては、木製角材なども利用可能であるが、この図示例では、合成樹脂製又は金属製のアングル材が使用され、この棚面拡幅部材（アングル材）１５の水平板部１５ａの上面が棚板６の上面と面一になるように、垂直板部１５ｂが棚板６の後側端面に取付け具１６により着脱自在に取り付けられている。図示例の取付け具１６は、棚面拡幅部材（アングル材）１５の垂直板部１５ｂに、その長さ方向適当間隔おきに前以て穿設されている取付け孔１７を経由して棚板６にねじ込まれる木ネジを示しているが、補強用桟１１の取付け構造と同様に、棚板６側に埋設されたインサートナットに螺合締結されるボルトを利用することも可能である。
【００１６】
上側収納用可動体２は、その前後奥行き方向の巾が、下側収納用本体１の左右両側板４ａ，４ｂの前後奥行き方向の巾と同一であり、その左右横巾（左右両側板７ａ，７ｂの外側面間の巾）が、下側収納用本体１の左右両側板４ａ，４ｂの内側面間の横巾よりと僅かに小さい程度のものであって、上側収納用可動体２を下側収納用本体１の左右両側板４ａ，４ｂ間に昇降自在に嵌合させることが出来る。この上側収納用可動体２を下側収納用本体１に結合させるために、下側収納用本体１における左右両側板４ａ，４ｂの上端部それぞれに、左右水平方向に貫通する前後一対の取付け孔１８が上下二段に設けられ、上側収納用可動体２における左右両側板７ａ，７ｂには、その下端から当該左右両側板７ａ，７ｂの上下方向中央高さまでの下半領域に、前記取付け孔１８と同心状に合致させることが出来る前後一対の被取付け孔１９が、前記取付け孔１８の上下間隔と同一間隔で穿設されている。
【００１７】
図５に示すように、下側収納用本体１側の４つの取付け孔１８と、これら取付け孔１８それぞれに同心状に合致させた上側収納用可動体２側の被取付け孔１９とにわたって挿通させた連結具（ボルト）２０と、当該連結具２０に螺嵌するナット２１によって、下側収納用本体１側の左右両側板４ａ，４ｂと上側収納用可動体２側の左右両側板７ａ，７ｂとを互いに締結させることにより、下側収納用本体１の上端側に上側収納用可動体２を連結一体化させている。この場合、図示のように、取付け孔１８と被取付け孔１９には、連結具頭部２０ａやナット２１が完全に埋没する深さの拡径凹部１８ａ，１９ａを形成すると共に、連結具２０には、その全長が、互いに重なる左右両側板４ａ，４ｂ／７ａ，７ｂの全体の厚さより長くないボルトを使用して、下側収納用本体１と上側収納用可動体２との連結手段が左右両側板４ａ，４ｂ／７ａ，７ｂから突出しないように構成しておくのが望ましい。このような連結構造を採用する場合、ナット２１を嵌合させる方の拡径凹部１９ａは、当該ナット（六角ナット）２１を自転不能に嵌合させることが出来る形状とするか又は、ナット２１に外嵌させる回転操作用（又は回り止め用）ソケットを自転可能に挿入させることが出来る程度の大径とし、連結具頭部２０ａには、回転操作用（又は回り止め用）の角孔を形成しておくのが望ましい。
【００１８】
勿論、下側収納用本体１と上側収納用可動体２との連結手段は、上記構成に限定されない。例えば、上側収納用可動体２側の被取付け孔１９を、左右両側板７ａ，７ｂに埋設固定したインサートナットで構成し、これに連結具（ボルト）２０を螺合締結するように構成することも出来る。更に、連結具（ボルト）２０を下側収納用本体１の取付け孔１８側（外側）から挿入したが、この逆に、上側収納用可動体２の被取付け孔１９側（内側）から挿入しても良い。又、４本の連結具（ボルト）２０によって下側収納用本体１と上側収納用可動体２とを連結するように構成したが、連結具（ボルト）２０の使用本数は、２本以上であれば、特に限定されない。
【００１９】
突っ張り手段３は、図３及び図４に示すように、左右一対の支持ユニット２２と当て板２３とで構成されている。左右一対の支持ユニット２２は互いに同一構造のものであって、垂直向きの１本の螺軸２４と、この螺軸２４の上端に側面視でＴ字状に結合された受け部材２５、及び螺軸２４に螺嵌させた上下２つのナット２６ａ，２６ｂから構成されている。当て板２３は、上側収納用可動体２の左右両側横巾と同一長さの帯状板であって、その左右長さ方向の両端部が、左右一対の支持ユニット２２の受け部材２５上に載置されるが、両者を互いに固着しておいても良いし、当て板２３を外して、受け部材２５を直接天井面に当接させることが出来るようにしても良い。
【００２０】
上記構成の突っ張り手段３を取り付けるために、上側収納用可動体２には、螺軸２４の全長を挿入可能な深さの前後２本の螺軸挿入孔２７ａ，２７ｂが、左右両側板７ａ，７ｂの上端面から垂直に穿設されている。左右両側板７ａ，７ｂそれぞれの手前側の螺軸挿入孔２６ａ又は奥側の螺軸挿入孔２６ｂに各支持ユニット２２の螺軸２４を挿入し、ナット２６ａ，２６ｂのねじ込み又はねじ戻し操作により、各支持ユニット２２の受け部材２５（又は左右一対の受け部材２５で支持された当て板２３）を昇降させることが出来る。螺軸２４を挿入させる螺軸挿入孔２６ａ，２６ｂの選択により、各支持ユニット２２の受け部材２５（又は左右一対の受け部材２５で支持された当て板２３）の位置を、平面視において、この収納棚の後側面（下側収納用本体１及び上側収納用可動体２の左右両側板４ａ，４ｂ／７ａ，７ｂの後側面）に対する接近位置と離間位置とに変更することが出来る。
【００２１】
本発明の収納棚では、上側収納用可動体２を上下逆向きでも使用可能にするために、前記突っ張り手段３を取り付けるための螺軸挿入孔２６ａ，２６ｂは、図２に点線で示すように、上側収納用可動体２における左右両側板７ａ，７ｂの上下両端から上下対称に穿設されている。
【００２２】
尚、下側収納用本体１の左右両側板４ａ，４ｂの内側面、及び上側収納用可動体２の左右両側板７ａ，７ｂの内側面には、それぞれ前後一対の棚板支持用ピン孔２８，２９が上下高さ方向等間隔おきに設けられている。これら棚板支持用ピン孔２８，２９を利用して棚板６，１０を任意の高さに支持する手段は、従来周知であるから図示省略しているが、例えば支持したい高さにある前後一対の棚板支持用ピン孔２８，２９に棚受け用ピンを差し込んで、この前後一対の棚受け用ピンに棚板６，１０の長さ方向の両端を載置支持させることが出来る。又、支持した棚板６，１０が前方に滑動して不測に脱落するのを防止するため、棚板６，１０の長さ方向の両端下側に棚受け用ピンが嵌合する凹部を形成するか又は、前側の棚受け用ピンに代えて、水平向きの棚板支持部の前端から垂直上向きに棚板受止め部が連設されたＬ形の棚板受け具に、棚板支持用ピン孔２８，２９に差し込むピンを突設して成る棚板受け具を使用することが出来る。勿論、棚板支持手段の構成は特に限定されないが、収納用可動体２の棚板１０を支持する手段は、収納用可動体２を上下逆向きで使用する場合でも、同一の棚板１０を問題なく支持出来るものでなくてはならない。
【００２３】
以上のように構成された収納棚において、図１及び図２に示すように、下側収納用本体１の左右両側板４ａ，４ｂにおける上端の前後一対、上下二段の各取付け孔１８に、上側収納用可動体２の左右両側板７ａ，７ｂにおける被取付け孔１９の内、最下端の前後一対の被取付け孔１９とその直上の前後一対の被取付け孔１９を合わせるように、上側収納用可動体２の下端部を下側収納用本体１の左右両側板４ａ，４ｂ間に嵌合させ、互いに同心状に連通状態にある前後一対、上下二段の取付け孔１８と被取付け孔１９とにわたって、図７に示すように、連結具（ボルト）２０を挿通させてナット２１に螺合締結させることにより、下側収納用本体１の上端部に上側収納用可動体２の下端部を連結し、の収納棚を組み立てることが出来る。この最高高さよりも収納棚の高さを低くするときは、下側収納用本体１に対して上側収納用可動体２を下降させ、上側収納用可動体２側の被取付け孔１９の内、高い位置にある被取付け孔１９を下側収納用本体１側の取付け孔１８に合致させて、上記のように連結具（ボルト）２０とナット２１により両者を連結一体化させれば良い。
【００２４】
上記の方法では、図３に示すように、上側収納用可動体２側の被取付け孔１９の内、最上端とその直下に位置する被取付け孔１９を利用して上側収納用可動体２を下側収納用本体１に連結させた状態、即ち、下側収納用本体１から上側収納用可動体２の上半部が突出する中間高さまでの範囲で、収納棚全体の高さを段階的に調整することが出来る。この中間高さよりも更に収納棚の高さを低くするときは、図４に示すように、上側収納用可動体２を上下逆向きに倒立させる。この上下逆向き姿勢の上側収納用可動体２では、左右両側板７ａ，７ｂの上端（端板８ｂのある側）から中間高さまでの範囲に被取付け孔１９が配設されていることになるので、これら被取付け孔１９を利用して上記のように上側収納用可動体２を下側収納用本体１に連結させることにより、図３に示す中間高さとほぼ同一の中間高さから、図４に示すように、上側収納用可動体２のほぼ全体が下側収納用本体１内に嵌合する最低高さまでの範囲で、収納棚全体の高さを段階的に調整することが出来る。
【００２５】
即ち、上記構成によれば、図２に示すように、端板８ａが上端に位置する正立姿勢の上側収納用可動体２の下端部が下側収納用本体１の上端部に連結された最高高さから、図４に示すように、端板８ｂが上端に位置する上下逆向きの倒立姿勢の上側収納用可動体２の上端部が下側収納用本体１の上端部に連結された最低高さまでの範囲内で、連結に使用する上側収納用可動体２側の被取付け孔１９の選択により、当該被取付け孔１９の間隔ごとに段階的に高さを、この収納棚を設置する場所の天井高さに合わせて調整することが出来る。
【００２６】
上記の要領で、設置する場所の天井高さに合わせてこの収納棚の高さを調整したならば、下側収納用本体１の基台部５から、上側収納用可動体２の下端に位置する端板８ｂ／８ａまでの収納空間高さに応じて補強用桟１１を架設すると共に棚板６を支持させる。例えば、図２に示すように、収納棚が最高高さにあるときは、下側収納用本体１の左右両側板４ａ，４ｂにおける全ての補強用桟の取付け部１２が上側収納用可動体２より下側で露出しているので、これら補強用桟の取付け部１２の内、下側収納用本体１の左右両側板４ａ，４ｂを互いに連結して補強するのに好適な高さにある複数又は全ての取付け部１２を利用して、下側収納用本体１の左右両側板４ａ，４ｂ間に、図８に示すように、結合具１４を利用して補強用桟１１を架設することが出来る。勿論、図３及び図４に示すように、収納棚の高さが低くなることにより、上側収納用可動体２より下側で露出する補強用桟の取付け部１２の数が少なくなるが、同時に上側収納用可動体２より下側にある左右両側板４ａ，４ｂの高さが低くなって、補強の必要性も低下するので、補強用桟１１の架設本数が少なくなっても問題はない。
【００２７】
上側収納用可動体２内に支持させる棚板１０は、当該上側収納用可動体２の正立姿勢、倒立姿勢に拘らず、棚板支持用ピン孔２９が設けられている範囲内で、必要段数だけ任意の上下間隔で支持させることが出来る。下側収納用本体１に対しては、上側収納用可動体２の下側に位置する左右両側板４ａ，４ｂの棚板支持用ピン孔２８が設けられている範囲内で、必要段数だけ任意の上下間隔で支持させることが出来るが、この下側収納用本体１の左右両側板４ａ，４ｂ間に架設した補強用桟１１と干渉しない高さでは、図２及び図４に示すように、棚面拡幅部材１５が取り付けられた棚板６、即ち、全体の前後奥行き方向の巾が左右両側板４ａ，４ｂの前後奥行き方向の巾と等しくなっている棚板６を、左右両側板４ａ，４ｂ間に支持させ、左右両側板４ａ，４ｂ間に架設した補強用桟１１と干渉する高さに棚板６を支持させるときは、図３の最下段の棚板６で示すように、棚面拡幅部材１５を取り外した棚板６、即ち、全体の前後奥行き方向の巾が、左右両側板４ａ，４ｂの前側辺から補強用桟１１までの水平間隔よりも少し小さくなっている棚板６を、左右両側板４ａ，４ｂ間に支持させれば良い。
【００２８】
上記のように組み立てられた収納棚は、図２〜図４に示すように、壁面に沿って設置するのであるが、このとき、壁面と天井面との入隅部に出っ張った梁部が無いようなときは、図２、図５、及び図６に示すように、突っ張り手段３の左右一対の支持ユニット２２における螺軸２４を、上側収納用可動体２の左右両側板７ａ，７ｂの上端に開口している前後一対の螺軸挿入孔２７ａ，２７ｂの内、奥側の螺軸挿入孔２７ｂに差し込んで、出来る限り突っ張り手段３の受け部材２５（又は左右一対の受け部材２５で支持された当て板２３）を壁面側に寄せるようにし、図３に示すように、壁面と天井面との入隅部に出っ張った梁部があるときは、前後一対の螺軸挿入孔２７ａ，２７ｂの内、前側の螺軸挿入孔２７ａに前記螺軸２４を差し込んで、当該梁部と受け部材２５（又は左右一対の受け部材２５で支持された当て板２３）との干渉を避ける。そして、ナット２６ａ，２６ｂをねじ戻して受け部材２５（又は左右一対の受け部材２５で支持された当て板２３）を下げた状態で、収納棚を壁面に沿って設置する。
【００２９】
この後、各支持ユニット２２の螺軸２４に螺嵌している下側のナット２６ｂをねじ込んで、左右一対の受け部材２５（又は左右一対の受け部材２５で支持された当て板２３）を上昇させて天井面に圧接させる。最後に、上側のナット２６ａをねじ込んで下側のナット２６ｂに圧接させ、当該下側のナット２６ｂをロックすれば、収納棚の設置が完了する。
【００３０】
尚、上記のように設置した収納棚の横に、同様に構成した収納棚を並べて設置する場合には、互いに隣接する下側収納用本体１の左右両側板４ａ，４ｂどうしを、これら互いに隣接する左右両側板４ａ，４ｂに設けた貫通孔に挿通させたボルトナットにより連結一体化して使用することも可能であり、或いは、同様に構成した複数の収納棚を、別に準備した棚板の長さ分だけ間隔をおいて設置し、互いに隣り合う収納棚の下側収納用本体１における左右両側板４ａ，４ｂ間に別に準備した棚板を架設して使用することも出来るものである。
【産業上の利用可能性】
【００３１】
本発明に係る収納棚は、壁面に沿って設置する際に、天井面の高さに合わせて収納棚全体の高さを大きな範囲内で調整することが可能であって、しかも十分な強度を備えた収納家具として活用出来る。
【符号の説明】
【００３２】
１    下側収納用本体
２    上側収納用可動体
３    突っ張り手段
４ａ，４ｂ，７ａ，７ｂ    左右両側板
５    基台部
６，１０    棚板
８ａ，８ｂ    上下両端板
９    背板
１１    補強用桟
１２    補強用桟の取付け部
１３，１７，１８    取付け孔
１４    結合具
１４ｃ    インサートナット
１５    棚面拡幅部材
１６    取付け具
１９    被取付け孔
２０    連結具（ボルト）
２２    支持ユニット
２３    当て板
２４    螺軸
２５    受け部材
２６ａ，２６ｂ    ナット
２７ａ，２７ｂ    螺軸挿入孔
２８，２９    棚板支持用ピン孔
【図１】
2015217193.tif 000003
【図２】
2015217193.tif 000004
【図３】
2015217193.tif 000005
【図４】
2015217193.tif 000006
【図５】
2015217193.tif 000007
【図６】
2015217193.tif 000008
【図７】
2015217193.tif 000009
【図８】
2015217193.tif 000010
【図９】
2015217193.tif 000011